(57)【要約】  情報記録再生装置（１００）は、コンテンツデータ及びサブデータを情報記録媒体（１０９）に記録する記録手段（１０６）と、コンテンツデータの一覧を表示するメニュー画面を表示する第１表示手段（１０７）と、サブデータの一覧を、コンテンツデータの一覧と共にメニュー画面上に表示する第２表示手段（１０７）とを備える。
2008026252.tif 000002
【特許請求の範囲】
【請求項１】
コンテンツデータ及び該コンテンツデータと並行して伝送されるサブデータを情報記録媒体に記録する記録手段と、
前記記録手段により記録された前記コンテンツデータの少なくとも一部の一覧を表示するメニュー画面を表示する第１表示手段と、
前記記録手段により記録された前記サブデータの少なくとも一部の一覧を、前記コンテンツデータの少なくとも一部の一覧と共に、前記メニュー画面上に表示する第２表示手段と
を備えることを特徴とする情報記録再生装置。
【請求項２】
前記第２表示手段は、前記サブデータの少なくとも一部の一覧を、前記コンテンツデータの少なくとも一部の一覧と略同一の態様で、前記メニュー画面上に表示することを特徴とする請求の範囲第１項に記載の情報記録再生装置。
【請求項３】
前記第２表示手段は、前記メニュー画面上に表示される前記コンテンツデータの少なくとも一部に関連する前記サブデータの少なくとも一部の一覧を、前記メニュー画面上に表示することを特徴とする請求の範囲第１項に記載の情報記録再生装置。
【請求項４】
前記記録手段は、前記コンテンツデータと該コンテンツデータに並行して伝送される前記サブデータとの関連を示す関連データを前記情報記録媒体に記録することを特徴とする請求の範囲第１項に記載の情報記録再生装置。
【請求項５】
前記サブデータは、該サブデータの一覧を前記メニュー画面上に表示する際に用いられる一又は複数のバナー画像を示すバナーデータを含んでおり、
前記第２表示手段は、前記一又は複数のバナー画像のうち所望のバナー画像を表示することにより前記サブデータの少なくとも一部の一覧を表示することを特徴とする請求の範囲第１項に記載の情報記録再生装置。
【請求項６】
前記第２表示手段は、前記メニュー画面上に一覧が表示される前記コンテンツデータの解像度、前記バナー画像が表示される位置及び前記メニュー画面の表示態様の少なくとも一つに応じて、前記一又は複数のバナー画像のうち所望のバナー画像を選択し、且つ該選択された前記所望のバナー画像を表示することにより前記サブデータの少なくとも一部の一覧を表示することを特徴とする請求の範囲第５項に記載の情報記録再生装置。
【請求項７】
前記サブデータは、該サブデータと並行して伝送される前記コンテンツデータに関連する広告データを含むことを特徴とする請求の範囲第１項に記載の情報記録再生装置。
【請求項８】
前記情報記録媒体は、前記コンテンツデータが記録される記録エリアと、前記サブデータが記録される記録エリアとを備えることを特徴とする請求の範囲第１項に記載の情報記録再生装置。
【請求項９】
前記情報記録媒体には、前記サブデータが予め記録されていることを特徴とする請求の範囲第１項に記載の情報記録再生装置。
【請求項１０】
前記サブデータが記録された記録履歴、前記サブデータの少なくとも一部の一覧が表示された表示履歴及び前記サブデータの少なくとも一部が再生された再生履歴の少なくとも一つを含む履歴情報を生成する生成手段を更に備えることを特徴とする請求の範囲第１項に記載の情報記録再生装置。
【請求項１１】
前記生成手段は、前記サブデータの少なくとも一部がどこまで再生されたかを示す履歴を含む前記再生履歴を含む前記履歴情報を生成することを特徴とする請求の範囲第１０項に記載の情報記録再生装置。
【請求項１２】
前記生成手段により生成された前記履歴情報を、該履歴情報を収集する収集サーバへ送信する送信手段を更に備えることを特徴とする請求の範囲第１０項に記載の情報記録再生装置。
【請求項１３】
前記履歴情報の前記収集サーバへの送信をユーザに対して促すための表示画面を示す促進データが前記情報記録媒体に記録されることを特徴とする請求の範囲第１２項に記載の情報記録再生装置。
【請求項１４】
前記第２表示手段は、前記記録手段により記録された前記サブデータの少なくとも一部の一覧よりも優先させて、前記促進データの一覧を、前記メニュー画面上に表示することを特徴とする請求の範囲第１３項に記載の情報記録再生装置。
【請求項１５】
コンテンツデータ及び該コンテンツデータと並行して伝送されるサブデータを情報記録媒体に記録する記録工程と、
前記記録工程において記録された前記コンテンツデータの少なくとも一部の一覧を表示するメニュー画面を表示する第１表示工程と、
前記記録工程において記録された前記サブデータの少なくとも一部の一覧を、前記コンテンツデータの少なくとも一部の一覧と共に、前記メニュー画面上に表示する第２表示工程と
を備えることを特徴とする情報記録再生方法。
【請求項１６】
(i)コンテンツデータ及び該コンテンツデータと並行して伝送されるサブデータを情報記録媒体に記録する記録手段と、
(ii)前記記録手段により記録された前記コンテンツデータの少なくとも一部の一覧を表示するメニュー画面を表示する第１表示手段と、
(iii)前記記録手段により記録された前記サブデータの少なくとも一部の一覧を、前記コンテンツデータの少なくとも一部の一覧と共に、前記メニュー画面上に表示する第２表示手段と、
(iv)前記サブデータが記録された記録履歴、前記サブデータの少なくとも一部の一覧が表示された表示履歴及び前記サブデータの少なくとも一部が再生された再生履歴の少なくとも一つを含む履歴情報を生成する生成手段と、
(v)前記生成手段により生成された前記履歴情報を送信する送信手段と
を備える情報記録再生装置と、
(i)前記送信手段により送信される前記履歴情報を取得する取得手段と、
(ii)前記取得手段により取得される前記履歴情報を分析する分析手段と
を備える収集サーバと
を備えることを特徴とする情報記録再生システム。
【請求項１７】
コンテンツデータ及び該コンテンツデータと並行して伝送されるサブデータを情報記録媒体に記録する記録手段と、前記記録手段により記録された前記コンテンツデータの少なくとも一部の一覧を表示するメニュー画面を表示する第１表示手段と、前記記録手段により記録された前記サブデータの少なくとも一部の一覧を、前記コンテンツデータの少なくとも一部の一覧と共に、前記メニュー画面上に表示する第２表示手段とを備える情報記録再生装置に備えられたコンピュータを制御する記録再生制御用のコンピュータプログラムであって、
前記コンピュータプログラムは、前記コンピュータを、前記記録手段、前記第１表示手段及び前記第２表示手段のうち少なくとも一部として機能させることを特徴とするコンピュータプログラム。
【発明の詳細な説明】
【技術分野】
【０００１】
本発明は、例えばＤＶＤレコーダやＢＤレコーダやＨＤ  ＤＶＤレコーダやＨＤＤレコーダ等の情報記録再生装置及び方法、このような情報記録再生装置を含む情報記録再生システム、並びにコンピュータをこのような情報記録再生装置として機能させるコンピュータプログラムの技術分野に関する。
【背景技術】
【０００２】
大容量のＨＤＤ（Hard Disk Drive）レコーダ等の普及が進んでいる。これに伴い、テレビ番組等をタイマー録画し、該録画されたテレビ番組を視聴する形態でのテレビ視聴が新たな態様として現れている。
【発明の開示】
【発明が解決しようとする課題】
【０００３】
このような新たな態様でのテレビ視聴では、ユーザは、録画されたテレビ番組を、ユーザが都合のよい時間に、ユーザが望む場面のみを選択して視聴していることが多い。特に、殆どのテレビ番組に含まれるＣＭ（Commercial Message）は、その部分をスキップすることにより視聴しないことが多くなってきている。【０００４】
しかしながら、ＣＭを提供する広告会社や広告主（例えば、電気製品や自動車のメーカ等）にとっては、ＣＭをスキップすることでＣＭを視聴しないというユーザの視聴態様は、決して好ましいものであるとは言えない。更に、ユーザにとっても、テレビ番組に付随するＣＭは、美しい動画で新製品等の情報を簡便に取得することができる情報源である。このため、一概にＣＭをスキップする視聴の態様は、美しい動画で新製品の情報を簡便に取得する機会を奪ってしまうというという事実を考慮すれば、決して好ましいものであるとは言えない。【０００５】
本発明は、例えば上述した従来の問題点に鑑みなされたものであり、例えばユーザの所望の広告をユーザに視聴させることを可能とならしめる情報記録再生装置及び方法、情報記録再生システム、並びにコンピュータをこのような情報記録再生装置として機能させるコンピュータプログラムを提供することを課題とする。
【課題を解決するための手段】
【０００６】
上記課題を解決するために、請求の範囲第１項に記載の情報記録再生装置は、コンテンツデータ及び該コンテンツデータと並行して伝送されるサブデータとを情報記録媒体に記録する記録手段と、前記記録手段により記録された前記コンテンツデータの少なくとも一部の一覧を表示するメニュー画面を表示する第１表示手段と、前記記録手段により記録された前記サブデータの少なくとも一部の一覧を、前記コンテンツデータの少なくとも一部の一覧と共に、前記メニュー画面上に表示する第２表示手段とを備える。【０００７】
上記課題を解決するために、請求の範囲第１５項に記載の情報記録再生方法は、コンテンツデータ及び該コンテンツデータと並行して伝送されるサブデータとを情報記録媒体に記録する記録工程と、前記記録工程において記録された前記コンテンツデータの少なくとも一部の一覧を表示するメニュー画面を表示する第１表示工程と、前記記録工程において記録された前記サブデータの少なくとも一部の一覧を、前記コンテンツデータの少なくとも一部の一覧と共に、前記メニュー画面上に表示する第２表示工程とを備える。【０００８】
上記課題を解決するために、請求の範囲第１６項に記載の情報記録再生システムは、(i)コンテンツデータ及び該コンテンツデータと並行して伝送されるサブデータとを情報記録媒体に記録する記録手段と、(ii)前記記録手段により記録された前記コンテンツデータの少なくとも一部の一覧を表示するメニュー画面を表示する第１表示手段と、(iii)前記記録手段により記録された前記サブデータの少なくとも一部の一覧を、前記コンテンツデータの少なくとも一部の一覧と共に、前記メニュー画面上に表示する第２表示手段と、(iv)前記サブデータが記録された記録履歴、前記サブデータの少なくとも一部の一覧が表示された表示履歴及び前記サブデータの少なくとも一部が再生された再生履歴の少なくとも一つを含む履歴情報を生成する生成手段と、(v)前記生成手段により生成された前記履歴情報を送信する送信手段とを備える情報記録再生装置と、(i)前記送信手段により送信される前記履歴情報を取得する取得手段と、(ii)前記取得手段により取得される前記履歴情報を分析する分析手段とを備える収集サーバとを備える。【０００９】
上記課題を解決するために、請求の範囲第１７項に記載のコンピュータプログラムは、コンテンツデータ及び該コンテンツデータと並行して伝送されるサブデータとを情報記録媒体に記録する記録手段と、前記記録手段により記録された前記コンテンツデータの少なくとも一部の一覧を表示するメニュー画面を表示する第１表示手段と、前記記録手段により記録された前記サブデータの少なくとも一部の一覧を、前記コンテンツデータの少なくとも一部の一覧と共に、前記メニュー画面上に表示する第２表示手段とを備える情報記録再生装置に備えられたコンピュータを制御する再生制御用のコンピュータプログラムであって、前記コンピュータプログラムは、前記コンピュータを、前記記録手段、前記第１表示手段及び前記第２表示手段のうち少なくとも一部として機能させる。【００１０】
本発明の作用及び他の利得は次に説明する実施の形態から明らかにされよう。
【図面の簡単な説明】
【００１１】
【図１】本実施例に係る情報記録再生システムの基本構成を概念的に示すブロック図である。
【図２】本実施例に係る情報記録再生システムが備えるハードディスクレコーダの基本構成を概念的に示すブロック図である。
【図３】本実施例に係る情報記録再生システムが備えるＣＭ履歴収集サーバの基本構成を概念的に示すブロック図である。
【図４】本実施例に係る情報記録再生システムのうちのハードディスクレコーダの動作の流れを概念的に示すフローチャートである。
【図５】ハードディスクに記録される番組データ及びＣＭデータの夫々の詳細なデータ構造を概念的に示すデータ構造図である。
【図６】本実施例に係るハードディスクレコーダにより表示されるメニュー画面を概念的に示す平面図である。
【図７】メニュー画面において送信促進データを選択及び実行した場合に表示される画像を概念的に示す平面図である。
【図８】ＣＭ履歴データのデータ構造を概念的に示すデータ構造図である。
【図９】再生履歴の一例を生成する際の概念を示すタイミングチャートである。る。
【図１０】本実施例に係る情報記録再生システムのうちのＣＭ履歴収集サーバの動作の流れを概念的に示すフローチャートである。
【符号の説明】
【００１２】
１  情報記録再生システム
１００  ハードディスクレコーダ
１０１  放送用アンテナ
１０２  チューナ部
１０３  ネットワーク通信部
１０５  ディスプレイ・スピーカ
１０６  記録部
１０７  メニュー表示部
１０８  再生部
１０９  ハードディスク
１０９ａ  番組データ用エリア
１０９ｂ  ＣＭデータ用エリア
１０９ｃ  ＣＭ履歴データ用エリア
１０９ｄ  送信促進データ用エリア
１１２  ＣＰＵ
１１２ａ  ＣＭ履歴データ生成部
１１３  メモリ
１１４  操作部
１１９  データバス
２００  ＣＭ履歴収集サーバ
２０３  ネットワーク通信部
２０７  記録部
２０９  ハードディスク
２０９ｃ  ＣＭ履歴データ用エリア
２０９ｅ  ＣＭ履歴分析データ用エリア
２１２  ＣＰＵ
２１２ａ  ＣＭ履歴データ分析部
２１３  メモリ
２１４  操作部
２１９  データバス
３００  通信ネットワーク網
４００  放送局
４１０  放送電波
【発明を実施するための最良の形態】
【００１３】
以下、発明を実施するための最良の形態として、本発明の情報記録再生装置及び方法、情報記録再生システム、並びにコンピュータプログラムに係る実施形態の説明を進める。【００１４】
（情報記録再生装置の実施形態）
本発明の情報記録再生装置に係る実施形態は、コンテンツデータ及び該コンテンツデータと並行して伝送されるサブデータとを情報記録媒体に記録する記録手段と、前記記録手段により記録された前記コンテンツデータの少なくとも一部の一覧を表示するメニュー画面を表示する第１表示手段と、前記記録手段により記録された前記サブデータの少なくとも一部の一覧を、前記コンテンツデータの少なくとも一部の一覧と共に、前記メニュー画面上に表示する第２表示手段とを備える。【００１５】
本発明の情報記録再生装置に係る実施形態によれば、記録手段の動作により、例えば放送電波を介して放送局より伝送される（つまり、放送される）コンテンツデータが情報記録媒体に記録される。コンテンツデータは、例えば映画番組や、ニュース番組や、娯楽番組や、ドキュメンタリー番組等の各種番組を含んでいる。本実施形態においては、コンテンツデータの伝送と並行して、後述する広告データ（ないしは、ＣＭデータ）等を含むサブデータも、放送電波を介して放送局より伝送されている。サブデータは、コンテンツデータとは、伝送という点においては独立したデータとして伝送されることが好ましい。コンテンツデータと並行して伝送されるサブデータもまた、記録手段の動作により、情報記録媒体に記録される。【００１６】
情報記録媒体に記録されたコンテンツデータについては、まず第１表示手段の動作により、その少なくとも一部の一覧を表示するメニュー画面が表示される。例えば、コンテンツデータが１つの映画番組と、２つのニュース番組と、３つの娯楽番組と、４つのドキュメンタリー番組とを含んでいる場合には、その一部の番組（例えば、１つの映画番組と、２つのニュース番組と、４つのドキュメンタリー番組のうちの２つのドキュメンタリー番組）の一覧を例えばこれらの番組のサムネイル画像等を用いて示すメニュー画面が表示される。その後、メニュー画面に表示された一覧から選択されたコンテンツデータの少なくとも一部（例えば、１つの映画番組や、１つのニュース番組等）が実際に再生される。【００１７】
本実施形態では特に、第２表示手段の動作により、コンテンツデータと並行して伝送され且つ情報記録媒体に記録されたサブデータの少なくとも一部の一覧が、第１表示手段の動作によりメニュー画面として表示されるコンテンツデータの少なくとも一部の一覧と共にメニュー画面上に表示される。つまり、第２表示手段の動作により、メニュー画面上には、コンテンツデータの少なくとも一部の一覧と共に、サブデータの少なくとも一部の一覧が含まれる。【００１８】
これにより、ユーザは、メニュー画面上に表示されているコンテンツデータの少なくとも一部の一覧を選択すれば、コンテンツデータを視聴することができる。一方で、ユーザは、同一のメニュー画面上に表示されているサブデータの少なくとも一部の一覧を選択すれば、サブデータを視聴することができる。つまり、ユーザは、広告データ等を含むサブデータを視聴したい場合に、選択的にサブデータを視聴することができる。他方で、ユーザは、広告データ等を含むサブデータを視聴したくない場合に、選択的にサブデータを視聴することなくコンテンツデータを視聴することができる。【００１９】
加えて、コンテンツデータの少なくとも一部の一覧とサブデータの少なくとも一部の一覧とが同一のメニュー画面上に表示されているため、サブデータであっても、コンテンツデータと同様の態様で選択し且つ視聴することができる。【００２０】
このように、本実施形態によれば、コンテンツデータ及びサブデータのうち、ユーザが所望のデータをユーザが選択して視聴することができる。これにより、サブデータが一概に或いはユーザの意図に反して視聴されないという不都合を好適に防ぐことができる。そして、ユーザの所望のサブデータをユーザに視聴させることができる。【００２１】
本発明の情報記録再生装置に係る実施形態の一の態様は、前記第２表示手段は、前記サブデータの少なくとも一部の一覧を、前記コンテンツデータの少なくとも一部の一覧と略同一の態様で、前記メニュー画面上に表示する。【００２２】
この態様によれば、コンテンツデータの少なくとも一部の一覧とサブデータの少なくとも一部の一覧とが略同一の態様で（例えば、ユーザにより違和感なく単一のメニュー画面であると認識できるような態様で）メニュー画面上に表示されている。このため、サブデータであっても、コンテンツデータと同様の態様で選択し且つ視聴することができる。【００２３】
本発明の情報記録再生装置に係る実施形態の他の態様は、前記第２表示手段は、前記メニュー画面上に表示される前記コンテンツデータの少なくとも一部に関連する前記サブデータの少なくとも一部の一覧を、前記メニュー画面上に表示する。【００２４】
この態様によれば、メニュー画面上に、コンテンツデータの少なくとも一部の一覧と、該コンテンツデータの少なくとも一部に関連する（例えば、分野が関連する又は同一である、或いは視聴対象が関連する又は同一である）サブデータの少なくとも一部の一覧とを表示することができる。これにより、コンテンツデータの少なくとも一部に興味を持っているユーザに対して、より興味のわくサブデータの視聴を促すことができる。【００２５】
本発明の情報記録再生装置に係る実施形態の他の態様は、前記記録手段は、前記コンテンツデータと該コンテンツデータに並行して伝送される前記サブデータとの関連を示す関連データを前記情報記録媒体に記録する。【００２６】
この態様によれば、関連データに基づいて、比較的容易に、メニュー画面上に表示されるコンテンツデータの少なくとも一部に関連するサブデータの少なくとも一部の一覧を、メニュー画面上に表示することができる。【００２７】
本発明の情報記録再生装置に係る実施形態の他の態様は、前記サブデータは、該サブデータの一覧を前記メニュー画面上に表示する際に用いられる一又は複数のバナー画像を示すバナーデータを含んでおり、前記第２表示手段は、前記一又は複数のバナー画像のうち所望のバナー画像を表示することにより前記サブデータの少なくとも一部の一覧を表示する。【００２８】
この態様によれば、サブデータに含まれるバナーデータを用いて、メニュー画面上にサブデータの少なくとも一部の一覧を好適に表示することができる。【００２９】
上述の如くサブデータにバナーデータが含まれる情報記録再生装置の態様では、前記第２表示手段は、前記メニュー画面上に一覧が表示される前記コンテンツデータの解像度、前記バナー画像が表示される位置及び前記メニュー画面の表示態様の少なくとも一つに応じて、前記一又は複数のバナー画像のうち所望のバナー画像を選択し、且つ該選択された前記所望のバナー画像を表示することにより前記サブデータの少なくとも一部の一覧を表示するように構成してもよい。【００３０】
この態様によれば、メニュー画面の表示の都度最適な或いは好適なバナー画像を選択しながら、メニュー画面上にサブデータの少なくとも一部の一覧を好適に表示することができる。【００３１】
本発明の情報記録再生装置に係る実施形態の他の態様は、前記サブデータは、該サブデータと並行して伝送される前記コンテンツデータに関連する広告データを含む。【００３２】
この態様によれば、ユーザの所望の広告データをユーザに視聴させることができる。【００３３】
本発明の情報記録再生装置に係る実施形態の他の態様は、前記情報記録媒体は、前記コンテンツデータが記録される記録エリアと、前記サブデータが記録される記録エリアとを備える。【００３４】
この態様によれば、コンテンツデータとサブデータとを物理的に又は論理的に分離して情報記録媒体に記録することができる。このため、サブデータの記録によっても、コンテンツデータの記録に悪影響を与えないという効果を享受することができる。【００３５】
本発明の情報記録再生装置に係る実施形態の他の態様は、前記情報記録媒体には、前記サブデータが予め記録されている。【００３６】
この態様によれば、情報記録再生装置の製造者が、ユーザに視聴させたいサブデータを予め情報記録媒体に記録した状態で、情報記録再生装置を出荷することができる。【００３７】
本発明の情報記録再生装置に係る実施形態の他の態様は、前記サブデータが記録された記録履歴（例えば、記録された回数等）、前記サブデータの少なくとも一部の一覧が表示された表示履歴（例えば、表示された回数等）及び前記サブデータの少なくとも一部が再生された再生履歴（例えば、再生された回数等）の少なくとも一つを含む履歴情報を生成する生成手段を更に備える。【００３８】
この態様によれば、生成手段の動作により生成される履歴情報に基づいて、サブデータに対するユーザの興味の度合いを分析することができる。従って、よりユーザの興味を引くサブデータを、コンテンツデータと並行して伝送することができる。更には、よりユーザの興味を引くサブデータを、該サブデータに関連するコンテンツデータと並行して伝送することができる。【００３９】
上述の如く生成手段を備える情報記録再生装置の態様では、前記生成手段は、前記サブデータの少なくとも一部がどこまで再生されたかを示す履歴を含む前記再生履歴を含む前記履歴情報を生成するように構成してもよい。【００４０】
このように構成すれば、生成手段の動作により生成される履歴情報に基づいて、サブデータに対するユーザの興味の度合いを分析することができる。従って、よりユーザの興味を引くサブデータを、コンテンツデータと並行して伝送することができる。更には、よりユーザの興味を引くサブデータを、該サブデータに関連するコンテンツデータと並行して伝送することができる。【００４１】
上述の如く生成手段を備える情報記録再生装置の態様では、前記生成手段により生成された前記履歴情報を、該履歴情報を収集する収集サーバへ送信する送信手段を更に備えるように構成してもよい。【００４２】
このように構成すれば、履歴情報が送信される収集サーバの動作により、生成手段の動作により生成される履歴情報に基づいて、サブデータに対するユーザの興味の度合いを分析することができる。従って、よりユーザの興味を引くサブデータを、コンテンツデータと並行して伝送することができる。更には、よりユーザの興味を引くサブデータを、該サブデータに関連するコンテンツデータと並行して伝送することができる。【００４３】
上述の如く送信手段を備える情報記録再生装置の態様では、前記履歴情報の前記収集サーバへの送信をユーザに対して促すための表示画面を示す促進データが前記情報記録媒体に記録されるように構成してもよい。【００４４】
このように構成すれば、履歴情報がより収集サーバへ送信されやすくなる。加えて、ユーザの意思を考慮して履歴情報を収集サーバへ送信することができる。つまり、促進データが示す表示画面を視聴してから履歴情報の送信を許諾したユーザを対象として、履歴情報を収集サーバへ送信することができる。【００４５】
上述の如く促進データが情報記録媒体に記録される情報記録再生装置の態様では、前記第２表示手段は、前記記録手段により記録された前記サブデータの少なくとも一部の一覧よりも優先させて、前記促進データの一覧を、前記メニュー画面上に表示するように構成してもよい。【００４６】
このように構成すれば、履歴情報がより収集サーバへ送信されやすくなる。つまり、ユーザに対して、より強く履歴情報の収集サーバへの送信を促すことができる。【００４７】
（情報記録再生方法の実施形態）
本発明の情報記録再生方法に係る実施形態は、コンテンツデータ及び該コンテンツデータと並行して伝送されるサブデータとを情報記録媒体に記録する記録工程と、前記記録工程において記録された前記コンテンツデータの少なくとも一部の一覧を表示するメニュー画面を表示する第１表示工程と、前記記録工程において記録された前記サブデータの少なくとも一部の一覧を、前記コンテンツデータの少なくとも一部の一覧と共に、前記メニュー画面上に表示する第２表示工程とを備える。【００４８】
本発明の情報記録再生方法に係る実施形態によれば、上述した本発明の情報記録再生装置に係る実施形態が有する各種利益と同様の利益を享受することができる。【００４９】
尚、上述した本発明の情報記録再生装置に係る実施形態における各種態様に対応して、本発明の情報記録再生方法に係る実施形態も各種態様を採ることが可能である。【００５０】
（情報記録再生システムの実施形態）
本発明の情報記録再生システムに係る実施形態は、(i)コンテンツデータ及び該コンテンツデータと並行して伝送されるサブデータとを情報記録媒体に記録する記録手段と、(ii)前記記録手段により記録された前記コンテンツデータの少なくとも一部の一覧を表示するメニュー画面を表示する第１表示手段と、(iii)前記記録手段により記録された前記サブデータの少なくとも一部の一覧を、前記コンテンツデータの少なくとも一部の一覧と共に、前記メニュー画面上に表示する第２表示手段と、(iv)前記サブデータが記録された記録履歴、前記サブデータの少なくとも一部の一覧が表示された表示履歴及び前記サブデータの少なくとも一部が再生された再生履歴の少なくとも一つを含む履歴情報を生成する生成手段と、(v)前記生成手段により生成された前記履歴情報を送信する送信手段とを備える情報記録再生装置と、(i)前記送信手段により送信される前記履歴情報を取得する取得手段と、(ii)前記取得手段により取得される前記履歴情報を分析する分析手段とを備える収集サーバとを備える。【００５１】
本発明の情報記録再生システムに係る実施形態によれば、情報記録再生装置は、上述したように、メニュー画面を表示すると共に、履歴情報を生成する。そして、履歴情報は、収集サーバへ送信される。【００５２】
収集サーバでは、取得手段の動作により履歴情報が取得され、その後、分析手段の動作により履歴情報が分析される。例えば、分析手段は、履歴情報に応じて、サブデータ毎の点数をつけたりする。【００５３】
これにより、コンテンツデータ及びサブデータのうち、ユーザが所望のデータをユーザが選択して視聴することができると共に、サブデータに対するユーザの興味の度合いを分析することができる。つまり、本実施形態に係る情報記録再生システムによれば、上述した本実施形態に係る情報記録再生装置が享受する効果と同様の効果を享受することができる。【００５４】
尚、上述した本発明の情報記録再生装置に係る実施形態における各種態様に対応して、本発明の情報記録再生システムに係る実施形態も各種態様を採ることが可能である。【００５５】
（コンピュータプログラムの実施形態）
本発明のコンピュータプログラムに係る実施形態は、コンテンツデータ及び該コンテンツデータと並行して伝送されるサブデータとを情報記録媒体に記録する記録手段と、前記記録手段により記録された前記コンテンツデータの少なくとも一部の一覧を表示するメニュー画面を表示する第１表示手段と、前記記録手段により記録された前記サブデータの少なくとも一部の一覧を、前記コンテンツデータの少なくとも一部の一覧と共に、前記メニュー画面上に表示する第２表示手段とを備える情報記録再生装置（即ち、上述した本発明の情報記録再生装置に係る実施形態（但し、その各種態様を含む））に備えられたコンピュータを制御する再生制御用のコンピュータプログラムであって、前記コンピュータプログラムは、前記コンピュータを、前記記録手段、前記第１表示手段及び前記第２表示手段のうち少なくとも一部として機能させる。【００５６】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録再生装置に係る実施形態を比較的簡単に実現できる。【００５７】
尚、上述した本発明の情報記録再生装置に係る実施形態における各種態様に対応して、本発明のコンピュータプログラムに係る実施形態も各種態様を採ることが可能である。【００５８】
本発明のコンピュータ読取可能な媒体内のコンピュータプログラム製品に係る実施形態は、コンテンツデータ及び該コンテンツデータと並行して伝送されるサブデータとを情報記録媒体に記録する記録手段と、前記記録手段により記録された前記コンテンツデータの少なくとも一部の一覧を表示するメニュー画面を表示する第１表示手段と、前記記録手段により記録された前記サブデータの少なくとも一部の一覧を、前記コンテンツデータの少なくとも一部の一覧と共に、前記メニュー画面上に表示する第２表示手段とを備える情報記録再生装置（即ち、上述した本発明の情報記録再生装置に係る実施形態（但し、その各種態様を含む））に備えられたコンピュータにより実行可能なプログラム命令を明白に具現化し、該コンピュータを、前記記録手段、前記第１表示手段及び前記第２表示手段のうち少なくとも一部として機能させる。【００５９】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録再生装置に係る実施形態を比較的容易に実施可能となる。更に具体的には、当該コンピュータプログラム製品は、上述した本発明の情報記録再生装置に係る実施形態として機能させるコンピュータ読取可能なコード（或いはコンピュータ読取可能な命令）から構成されてよい。【００６０】
尚、上述した本発明の情報記録再生装置に係る実施形態における各種態様に対応して、本発明のコンピュータプログラム製品に係る実施形態も各種態様を採ることが可能である。【００６１】
本実施形態のこのような作用及び他の利得は次に説明する実施例から更に明らかにされよう。【００６２】
以上説明したように、本発明の情報記録再生装置に係る実施形態によれば、記録手段と、第１表示手段と、第２表示手段とを備える。本発明の情報記録再生方法に係る実施形態によれば、記録工程と、第１表示工程と、第２表示工程とを備える。本発明のコンピュータプログラムに係る実施形態によれば、コンピュータを記録手段、第１表示手段及び第２表示手段として機能させる。従って、ユーザの所望の広告をユーザに視聴させることができる。
【実施例】
【００６３】
以下、本発明の実施例を図面に基づいて説明する。【００６４】
（１）  基本構成
初めに、図１から図３を参照して、本発明の情報記録再生システムに係る実施例としての情報記録再生システム１の基本構成について説明する。ここに、図１は、本実施例に係る情報記録再生システム１の基本構成を概念的に示すブロック図であり、図２は、本実施例に係る情報記録再生システム１が備えるハードディスクレコーダ１００の基本構成を概念的に示すブロック図であり、図３は、本実施例に係る情報記録再生システム１が備えるＣＭ履歴収集サーバ２００の基本構成を概念的に示すブロック図である。【００６５】
図１に示すように、本実施例に係る情報記録再生システム１は、ハードディスクレコーダ１００と、ＣＭ履歴収集サーバ２００と、通信ネットワーク網３００と、放送局４００とを備えている。【００６６】
ハードディスクレコーダ１００は、本発明における「情報記録再生装置」の一具体例を構成しており、放送局４００から放送される放送電波４１０を受信し、該放送電波４１０を復調することで取得されるテレビ番組をハードディスク等の情報記録媒体に記録（言い換えれば、録画）する機能を備えている。また、ハードディスクレコーダ１００は、通信ネットワーク網３００を介して、ＣＭ履歴収集サーバ２００との間で無線又は有線の通信を行う機能を備えている。ハードディスクレコーダ１００の具体的な構成については、後に詳述する（図２参照）。【００６７】
ＣＭ履歴収集サーバ２００は、本発明における「収集サーバ」の一具体例を構成しており、通信ネットワーク網３００を介してハードディスクレコーダ１００より送信されるＣＭ履歴データを取得し、該ＣＭ履歴データを分析する。ＣＭ履歴収集サーバ２００の具体的な構成については、後に詳述する（図３参照）。【００６８】
通信ネットワーク網３００は、例えば、固定電話網や、パケット通信網や、インターネット網や、携帯電話網や、ＩＭＴ−２０００や、ＰＨＳや、無線ＬＡＮ等の有線ネットワーク網又は無線ネットワーク網を含んでいる。尚、カーナビゲーション装置１００とハードディスクレコーダとの間の通信線路の全てが有線ネットワーク網又は全てが無線ネットワーク網でなくてもよく、通信線路の一部が有線ネットワーク網又は無線ネットワーク網であってもよい。【００６９】
放送局４００は、テレビ番組を放送する基地局であって、送信アンテナ４０１を備えている。送信アンテナ４０１からは、放送電波４１０が送信されている。この放送電波４１０により、例えば映画番組やニュース番組や娯楽番組やドキュメンタリー番組等のテレビ番組を示す番組データが放送されている。【００７０】
本実施形態では更に、放送電波４１０により、広告情報や告知情報（以降、適宜“ＣＭ”と称する）を示すＣＭデータがコンテンツデータとは独立したデータとして放送されている。例えば、放送局４００及び放送電波４１０が地上波デジタル放送に準拠していれば、放送電波４１０に含まれる１３セグメントのうちコンテンツデータの放送に用いられていないセグメントを用いてＣＭデータが放送される。或いは、コンテンツデータ中の文字データ放送として、ＣＭデータが放送されてもよい。【００７１】
尚、図１においては、１つのハードディスクレコーダ１００を備える情報記録再生システム１について説明しているが、情報記録再生システム１が２つ以上のハードディスクレコーダ１００を備えていてもよいことは言うまでもない。同様に、情報記録再生システム１が２つ以上のＣＭ履歴収集サーバ２００を備えていてもよいことは言うまでもない。【００７２】
図２に示すように、ハードディスクレコーダ１００は、放送用アンテナ１０１と、チューナ部１０２と、ネットワーク通信部１０３と、ディスプレイ・スピーカ１０５と、記録部１０６と、メニュー表示部１０７と、再生部１０８と、ハードディスク１０９と、ＣＰＵ１１２と、メモリ１１３と、操作部１１４と、データバス１１９とを備えている。【００７３】
放送用アンテナ１０１は、放送局４００から送信される放送電波４１０を放送信号として受信すると共に、該受信された放送信号を、チューナ部１０２へ出力する。【００７４】
チューナ部１０２は、放送用アンテナ１０１において受信された放送信号に対して、チューニング処理を行う。チューニング処理により、ユーザが視聴したいテレビ番組やＣＭのチャンネルに応じた周波数帯の放送信号が、番組データやＣＭデータとして記録部１０７へ出力される。【００７５】
ネットワーク通信部１０３は、本発明における「送信手段」の一具体例を構成しており、通信ネットワーク網３００を介して、ＣＭ履歴収集サーバ２００との間のデータの送受信を行う。具体的には、ネットワーク通信部１０３は、後述するＣＭ履歴データ生成部１１２ａにより生成されるＣＭ履歴データをＣＭ履歴収集サーバ２００へ送信する。このとき、ネットワーク通信部１０３は、送信するＣＭ履歴データに対して、通信ネットワーク網３００に応じた通信用のフォーマットに変換する。【００７６】
ディスプレイ・スピーカ１０５は、メニュー表示部１０６の動作により表示されるメニュー画面や再生部１０６の動作により再生される番組データ及びＣＭデータを、実際の映像や音声として出力可能に構成されている。【００７７】
記録部１０６は、本発明における「記録手段」の一具体例を構成しており、チューナ部１０２において受信された番組データ及びＣＭデータをハードディスク１０９に記録する。【００７８】
メニュー表示部１０７は、本発明における「第１表示手段」及び「第２表示手段」の一具体例を構成しており、ハードディスク１０９に記録された番組データ及びＣＭデータの少なくとも一部をメニュー表示する。つまり、メニュー表示部１０７は、ハードディスク１０９に記録された番組データ及びＣＭデータの少なくとも一部の一覧を示すメニュー画面を表示する。メニュー表示部１０７の動作及びメニュー画面については後に詳述する（図４及び図６参照）。【００７９】
再生部１０８は、ハードディスク１０９に記録された番組データ及びＣＭデータを再生する。この場合、再生部１０８は、メニュー表示部１０７の動作により表示されるメニュー画面上でユーザが選択した番組データ又はＣＭデータを再生する。【００８０】
ハードディスク１０９は、本発明における「情報記録媒体」の一具体例を構成しており、磁気記録媒体であって、地図データ１１０を長期間保持可能な状態で記憶する。尚、ハードディスク１０９に限らず、例えばＣＤやＤＶＤ等の光ディスクや、その他の各種記録媒体を用いてもよいことは言うまでもない。【００８１】
本実施例では特に、ハードディスク１０９中の記録エリアは、番組データが記録される記録エリアである番組データ用エリア１０９ａと、ＣＭデータが記録される記録エリアであるＣＭデータ用エリア１０９ｂと、ＣＭ履歴データが記録される記録エリアであるＣＭ履歴データ用エリア１０９ｃと、送信促進データが記録される記録エリアである送信促進データ用エリア１０９ｄとに分割されている。【００８２】
ＣＭ履歴データは、後述するＣＭ履歴データ生成部１１２ａの動作により生成され、ＣＭデータのハードディスク１０９への記録の回数等を示す記録履歴データ、メニュー表示部１０７によるＣＭデータのメニュー表示の回数等を示す表示履歴データ、及び再生部１０８によるＣＭデータの再生の回数等を示す再生履歴データを含んでいる。【００８３】
送信促進データは、ハードディスクレコーダ１００からＣＭ履歴収集サーバ２００へのＣＭ履歴データの送信を、ユーザに許可させる或いはユーザに促すための許可画面を表示するためのデータである。送信促進データは、ハードディスク１０９中の送信促進データ用エリア１０９ｄに予め（例えば、ハードディスクレコーダ１００の製造時に或いは出荷時に）記録されていてもよい。あるいは、送信促進データが放送電波４１０により放送される場合には、放送用アンテナ部１０１において受信された送信促進データが、記録部１０６の動作により、ハードディスク１０９中の送信促進データ用エリア１０９ｄに記録されてもよい。【００８４】
また、ハードディスク１０９中のＣＭデータ用エリア１０９ｂには、予め（例えば、ハードディスクレコーダ１００の製造時に或いは出荷時に）ＣＭデータが記録されていてもよい。同様に、ハードディスク１０９中の番組データ用エリア１０９ａには、予め（例えば、ハードディスクレコーダ１００の製造時に或いは出荷時に）番組データが記録されていてもよい。【００８５】
ＣＰＵ１１２は、チューナ部１０２、ネットワーク通信部１０３、ディスプレイ・スピーカ１０５、記録部１０６、メニュー表示部１０７、再生部１０８、ハードディスク１０９、操作部１１４及びメモリ１１３と、データバス１１９を介して接続され、これらの構成手段に指示を行うことで、ハードディスクレコーダ１００全体の制御を行う。通常、ＣＰＵ１１２が動作するためのソフトウェア又はファームウェアは、メモリ１１３に格納されている。【００８６】
本実施例では特に、ＣＰＵ１１２は、本発明における「生成手段」の一具体例を構成するＣＭ履歴データ生成部１１２ａを備えている。ＣＭ履歴データ生成部１１２ａは、ＣＭ履歴データを生成する。生成されたＣＭ履歴データは、ハードディスク１０９中のＣＭ履歴データ用エリア１０９ｃに記録されると共に、ネットワーク通信部１０３の動作によりＣＭ履歴収集サーバ２００へ送信される。【００８７】
メモリ１１３は、ハードディスクレコーダ１００としての動作を行うためのプログラム、即ちファームウェアが格納されるＲＯＭ領域と、ハードディスクレコーダ１００として動作する際に用いられる各種データを一時的に格納するためのＲＡＭ領域とを含んでいる。【００８８】
操作部１１４は、例えば、リモコンや、タッチパネルや、操作ボタンや、マウスや、キーボード等を備えており、該操作部１１４を用いたユーザの操作に関連するユーザ操作情報を出力する。【００８９】
図３に示すように、ＣＭ履歴収集サーバ２００は、ネットワーク通信部２０３と、記録部２０７と、ハードディスク２０９と、ＣＰＵ２１２と、メモリ２１３と、操作部２１４と、データバス２１９とを備えている。【００９０】
ネットワーク通信部２０３は、本発明における「取得手段」の一具体例を構成しており、通信ネットワーク網３００を介して、ハードディスクレコーダ１００との間のデータの送受信を行う。具体的には、ネットワーク通信部２０３は、ハードディスクレコーダ１００より送信されるＣＭ履歴データを受信する。このとき、ネットワーク通信部２０３は、受信するデータに対して、ＣＭ履歴収集サーバ２００内でデータ処理するためのフォーマットに変換する。【００９１】
記録部２０７は、ネットワーク通信部２０３において受信されるＣＭ履歴データ及び後述のＣＭ履歴分析データ２１２ａにより生成される履歴分析データをハードディスク２０９に記録する。【００９２】
ハードディスク２０９は、磁気記録媒体であって、記録部２０７の動作により記録されるコンテンツデータを長期間保持可能な状態で記憶する。尚、ハードディスク２０９に限らず、例えばＣＤやＤＶＤ等の光ディスクや、その他の各種記録媒体を用いてもよいことは言うまでもない。【００９３】
本実施例では特に、ハードディスク２０９中の記録エリアは、ＣＭ履歴データが記録される記録エリアであるＣＭ履歴データ用エリア２０９ｃと、後述のＣＭ履歴分析部２１２ａの動作により生成されるＣＭ履歴分析データが記録される記録エリアであるＣＭ履歴分析データ用エリア２０９ｅとに分割されている。尚、ＣＭ履歴分析データについては、後に詳述する（図１０参照）。【００９４】
ＣＰＵ２１２は、ネットワーク通信部２０３、記録部２０７、ハードディスク２０９、操作部２１４及びメモリ２１３と、データバス２１９を介して接続され、これらの構成手段に指示を行うことで、ＣＭ履歴収集サーバ２００全体の制御を行う。通常、ＣＰＵ２１２が動作するためのソフトウェア又はファームウェアは、メモリ２１３に格納されている。【００９５】
本実施例では特に、ＣＰＵ２１２は、本発明における「分析手段」の一具体例を構成するＣＭ履歴データ分析部２１２ａを備える。ＣＭ履歴データ分析部２１２ａは、ハードディスクレコーダ１００より送信されるＣＭ履歴データを分析する。尚、ＣＭ履歴データ分析部２１２ａの動作については、後に詳述する（図１０参照）。【００９６】
メモリ２１３は、ＣＭ履歴収集サーバ２００としての動作を行うためのプログラム、即ちファームウェアが格納されるＲＯＭ領域と、ＣＭ履歴収集サーバ２００として動作する際に用いられる各種データを一時的に格納するためのＲＡＭ領域とを含んでいる。【００９７】
操作部２１４は、例えば、リモコンや、タッチパネルや、操作ボタンや、マウスや、キーボード等を備えており、該操作部２１４を用いたユーザの操作に関連するユーザ操作情報を出力する。【００９８】
（２）  動作例
続いて、図４から図１０を参照して、本実施例に係る情報記録再生システム１の動作例について説明する。【００９９】
（２−１）  ハードディスクレコーダの動作例
初めに、図４から図９を参照して、本実施例に係る情報記録再生システム１のうちハードディスクレコーダ１００の動作例について説明する。ここでは、図４を参照しながら、ハードディスクレコーダ１００の動作例の全体について説明すると共に、図５から図９を適宜参照しながらより詳細な説明を加えていく。ここに、図４は、本実施例に係る情報記録再生システム１のうちのハードディスクレコーダ１００の動作の流れを概念的に示すフローチャートである。【０１００】
図４に示すように、初めに、チューナ部１０２の動作により受信される番組データ及びＣＭデータの夫々が、記録部１０６の動作により、ハードディスク１０９に記録される（ステップＳ１０１）。尚、ユーザが操作部１１４を用いてリアルタイムに記録開始の指示を行ってもよいし、或いは記録開始時刻を指定するタイマー等を設定してもよい。【０１０１】
ここで、図５を参照しながら、ハードディスク１０９に記録される番組データ及びＣＭデータの夫々の詳細なデータ構造について説明する。ここに、図５は、ハードディスク１０９に記録される番組データ及びＣＭデータの夫々の詳細なデータ構造を概念的に示すデータ構造図である。【０１０２】
図５（ａ）に示すように、番組データは、当該番組データを識別するための固有のＩＤ番号等を示す番組データ識別子と、実際のテレビ番組の映像や音声を示す映像・音声データとを含んでいる。【０１０３】
図５（ｂ）に示すように、ＣＭデータは、当該ＣＭデータを識別するための固有のＩＤ番号等を示すＣＭデータ識別子と、実際のＣＭの映像や音声を示す映像・音声データとを含んでいる。【０１０４】
ＣＭデータは更に、当該ＣＭデータに関連する番組データの識別子を示す関連番組データ識別子を含んでいる。例えば、関連番組データは、当該ＣＭデータと同時刻に並行して放送される番組データの識別子や、当該ＣＭデータと同一の分野の番組内容を含む番組データの識別子等を含んでいる。より具体的には、ＰＭ７：００からＰＭ７：３０に放送される番組データ＃１と並行して放送されるＣＭデータは、番組データ＃１の識別子を示す関連番組データを含んでいる。或いは、モータースポーツに関する番組内容を含む伴組データ＃２が存在していれば、自動車メーカのＣＭを含むＣＭデータは、番組データ＃２の識別子を示す関連番組データを含んでいる。【０１０５】
ＣＭデータは更に、当該ＣＭデータをメニュー表示する際に用いられるｎ個のバナー画像＃１から＃ｎ（但し、ｎは１以上の整数）を含んでいる。ｎ個のバナー画像＃１から＃ｎは、メニュー表示される番組データの解像度（例えば、番組データがＨＤ（High Definition）画像であるか又はＳＤ（Standard Definition）画像であるか）、メニュー画面上におけるＣＭデータの一覧（つまり、バナー画像）が表示される位置及びメニュー画面の表示態様に応じて、実際にメニュー表示する際に最適な或いは好適なバナー画像が選択され、且つ表示される。【０１０６】
尚、番組データ及びＣＭデータは、放送局４００から放送される段階で図５に示すデータ構造を有していてもよい。或いは、番組データ及びＣＭデータは、放送局４００から包装される段階では図５に示すデータ構造を有していなくとも、少なくともハードディスク１０９に記録される段階で図５に示すデータ構造を有してもよい。【０１０７】
また、ハードディスク１０９に記録されるＣＭデータは、ハードディスク１０９の記録容量（特に、ＣＭデータ用エリア１０９ｂの記録容量）を確保するために、一定時間経過後（例えば、数日経過後、１週間経過後、数週間経過後或いは数ヶ月経過後）にハードディスク１０９より消去されることが好ましい。【０１０８】
再び図４において、ハードディスク１０９に記録された番組データ（或いは、その一部）をメニュー表示する旨の指示がユーザによりなされたか否かが判定される（ステップＳ１０２）。【０１０９】
ステップＳ１０２における判定の結果、ハードディスク１０９に記録された番組データをメニュー表示する旨の指示がユーザによりなされていないと判定された場合には（ステップＳ１０１：Ｎｏ）、ステップＳ１０１へ戻り、番組データ及びＣＭデータの記録が継続される。【０１１０】
他方、ステップＳ１０２における判定の結果、ハードディスク１０９に記録された番組データをメニュー表示する旨の指示がユーザによりなされたと判定された場合には（ステップＳ１０１：Ｙｅｓ）、続いて、メニュー表示される番組データに関連するＣＭデータがハードディスク１０９中に記録されているか否かが判定される（ステップＳ１０３）。より具体的には、メニュー表示される番組データの番組データ識別子を関連番組データ識別子として含んでいるＣＭデータが、ハードディスク１０９中に記録されているか否かが判定される。【０１１１】
ステップＳ１０３における判定の結果、メニュー表示される番組データに関連するＣＭデータがハードディスク１０９中に記録されていないと判定された場合には（ステップＳ１０３：Ｎｏ）、ハードディスク１０９中に記録された番組データと、ハードディスク１０９中に記録されたＣＭデータのうち任意のＣＭデータがメニュー表示される（ステップＳ１０４）。つまり、メニュー表示される番組データの放送時間や番組内容等に関わらず、任意のＣＭデータがメニュー画面上にメニュー表示される。【０１１２】
他方、ステップＳ１０５における判定の結果、メニュー表示される番組データに関連するＣＭデータがハードディスク１０９中に記録されていると判定された場合には（ステップＳ１０３：Ｙｅｓ）、続いて、送信促進データがハードディスク１０９中に記録されているか否かが判定される（ステップＳ１０５）。【０１１３】
ステップＳ１０３における判定の結果、送信促進データがハードディスク１０９中に記録されていると判定された場合には（ステップＳ１０５：Ｙｅｓ）、ハードディスク１０９中に記録された番組データと、ハードディスク１０９中に記録されたＣＭデータのうちメニュー表示される番組データに関連するＣＭデータと、送信促進データとがメニュー表示される（ステップＳ１０６）。つまり、メニュー表示される番組データの放送時間や番組内容等関連するＣＭデータと共に、送信促進データがメニュー画面上にメニュー表示される。【０１１４】
他方、ステップＳ１０３における判定の結果、送信促進データがハードディスク１０９中に記録されていないと判定された場合には（ステップＳ１０５：Ｎｏ）、ハードディスク１０９中に記録された番組データと、ハードディスク１０９中に記録されたＣＭデータのうちメニュー表示される番組データに関連するＣＭデータとがメニュー表示される（ステップＳ１０７）。つまり、メニュー表示される番組データの放送時間や番組内容等関連するＣＭデータがメニュー画面上にメニュー表示される。【０１１５】
つまり、ステップＳ１０３からステップＳ１０７における動作をまとめると、メニュー画面には、送信促進データ、メニュー表示される番組データに関連するＣＭデータ及びメニュー表示される番組データに関連しないＣＭデータの順に優先度を高くして、送信促進データ及びＣＭデータをメニュー表示している。【０１１６】
その後、ステップＳ１０４、ステップＳ１０６又はステップＳ１０７において表示されたメニュー画面において選択及び実行された番組データ、ＣＭデータ又は送信促進データが、再生部１０８の動作により実際に映像や音声として再生される（ステップＳ１０８）。【０１１７】
ここで、図６及び図７を参照しながら、実際に表示されるメニュー画面の詳細について説明する。ここに、図６は、本実施例に係るハードディスクレコーダ１００により表示されるメニュー画面を概念的に示す平面図であり、図７は、メニュー画面において送信促進データを選択及び実行した場合に表示される画像を概念的に示す平面図である。【０１１８】
図６に示すように、メニュー画面には、ハードディスク１００に記録されている番組データのうちの番組Ａ、番組Ｂ、番組Ｃ、番組Ｄ、番組Ｅ、番組Ｆ、番組Ｇ、番組Ｈ、番組Ｉ、番組Ｊ及び番組Ｋの夫々のサムネイル画像が表示されている。ユーザが所望の番組のサムネイル画像を選択及び実行することで、所望の番組の再生を開始することができる。例えば、番組Ｇのサムネイル画像を選択及び実行すれば、番組Ｇが再生される。【０１１９】
また、メニュー画面には、ハードディスク１００に記録されているＣＭデータ及び送信促進データをメニュー表示するための領域であるＣＭバナー表示領域＃１から＃５が確保されている。ＣＭデータ又は送信促進データは、ＣＭバナー表示領域＃１から＃５のうちのいずれかの表示領域に、対応するバナー画像が表示されることでメニュー表示される。
各ＣＭバナー表示領域には、対応するＣＭデータに含まれるｎ個のバナー画像＃１から＃ｎの中から、メニュー表示される番組データの解像度（例えば、番組データがＨＤ（High Definition）画像であるか又はＳＤ（Standard Definition）画像であるか）、メニュー画面上におけるＣＭデータの一覧（つまり、バナー画像）が表示される位置及びメニュー画面の表示態様に応じて、例えばＣＰＵ１１２の動作により好適なバナー画像が選択され、且つバナー画像が表示されることが好ましい。【０１２０】
例えば、ＣＭバナー表示領域＃１にＣＭデータ＃１に対応するバナー画像が表示される場合には、ＣＭバナー表示領域＃１の大きさに合致しており且つ番組ＡからＨの解像度に合ったバナー画像が表示されることが好ましい。この場合、ＣＭバナー表示領域＃１に表示されているバナー画像を選択及び実行することでＣＭデータ＃１が再生される。或いは、ＣＭバナー画像＃５に送信促進データに対応するバナー画像が表示された場合、ＣＭバナー表示領域＃５に表示されているバナー画像を選択及び実行することで送出促進データが再生される。【０１２１】
送信促進データが再生された場合には、例えば図７に示すような送信促進画面が表示される。図７に示すように、送信促進画面は、ハードディスクレコーダ１００（より具体的には、ＣＭ履歴データ生成部１１２ａ）により生成されるＣＭ履歴データを、ＣＭ履歴収集サーバへ送信してもよいかをユーザに問い合わせる。この送信促進画面を用いてユーザがＣＭ履歴データをＣＭ履歴収集サーバへ送信してもよいと意思表示した場合には、ＣＭ履歴データをＣＭ履歴収集サーバへ送信する。他方、この送信促進画面を用いてユーザがＣＭ履歴データをＣＭ履歴収集サーバへ送信してもよいと意思表示していない場合には、ＣＭ履歴データをＣＭ履歴収集サーバへ送信しないことが好ましい。【０１２２】
尚、図６に示すＣＭデータのバナー画像が表示される領域（つまり、ＣＭバナー表示領域＃１から＃５）はあくまで一具体例であり、この例以外の位置に或いはこの例以外の大きさのバナー画像が表示されるように構成してもよいことは言うまでもない。用は、番組データと大きな違和感をユーザに抱かせることなくＣＭデータや送信促進データをメニュー画面上にメニュー表示すればよい。【０１２３】
また、図６には複数のＣＭバナー表示領域＃１から＃５を示しているが、これらの全ての表示領域を用いてＣＭデータをメニュー表示してもよいし、これらのうちのいずれかを選択してＣＭデータをメニュー表示してもよい。【０１２４】
再び図４において、その後、ＣＭ履歴データ生成部１１２ａの動作によりＣＭ履歴データが生成されると共に（ステップＳ１０９）、該生成されたＣＭ履歴データがＣＭ履歴収集サーバ２００へ送信される（ステップＳ１１０）。ＣＭ履歴データのＣＭ履歴収集サーバ２００への送信は、ＣＭ履歴データの生成の都度行われてもよいし、或いは一定期間毎に（例えば、１日毎に、数日毎に、１週間毎に或いは数週間毎に）行われてもよい。【０１２５】
ここで、図８及び図９を参照して、ＣＭ履歴データの詳細について説明する。ここに、図８は、ＣＭ履歴データのデータ構造を概念的に示すデータ構造図であり、図９は、再生履歴の一例を生成する際の概念を示すタイミングチャートである。【０１２６】
図８に示すように、ＣＭ履歴データは、ＣＭデータ識別子と、該ＣＭデータ識別子により特定されるＣＭデータのハードディスク１０９への記録の回数等を示す記録履歴データと、該ＣＭデータ識別子により特定されるＣＭデータのメニュー表示の回数等を示す表示履歴データと、該ＣＭデータ識別子により特定されるＣＭデータの再生の回数や該ＣＭデータ識別子により特定されるＣＭデータがどこまで（より具体的には、いずれの再生時刻まで）再生されたか等を示す再生履歴データを含んでいる。【０１２７】
ここで、ＣＭデータがどこまで再生されたかを示す再生履歴データを生成するためには、ＣＭデータは、例えばＤＶＤ−Ｖｉｄｅｏフォーマットにおけるメニューボタンのようなデータ構造を有していることが好ましい。【０１２８】
より具体的には、例えば、図９に示すように、ＣＭデータは、ＣＭデータの再生開始時刻Ｔｓから再生終了時刻Ｔｅまでの間の所定の再生時刻Ｔ１にボタン＃１が表示され、再生時刻Ｔ２にボタン＃２が表示され、再生時刻Ｔ３にボタン＃３が表示されるようなデータ構造を有していることが好ましい。再生時刻Ｔ１において表示されるボタン＃１は、当該ボタン＃１をユーザが選択し且つ実行しなければ、再生時刻Ｔ１以降のＣＭデータの再生が進行しないような制御構造を有していることが好ましい。再生時刻Ｔ２において表示されるボタン＃２は、当該ボタン＃２をユーザが選択し且つ実行しなければ、再生時刻Ｔ２以降のＣＭデータの再生が進行しないような制御構造を有していることが好ましい。再生時刻Ｔ３において表示されるボタン＃３は、当該ボタン＃３をユーザが選択し且つ実行しなければ、再生時刻Ｔ３以降のＣＭデータの再生が進行しないような制御構造を有していることが好ましい。【０１２９】
このため、ユーザがボタン＃１から＃３の全てを選択及び実行していれば、ＣＭデータは、再生開始時刻Ｔｓから再生終了時刻Ｔｅまで全て再生されたことを示す再生履歴データが生成される。ユーザがボタン＃１及び＃２を選択及び実行していれば、ＣＭデータは、再生開始時刻Ｔｓから再生時刻Ｔ３まで再生されたことを示す再生履歴データが生成される。ユーザがボタン＃１を選択及び実行していれば、ＣＭデータは、再生開始時刻Ｔｓから再生時刻Ｔ２まで再生されたことを示す再生履歴データが生成される。ユーザがボタン＃１から＃３のいずれも選択及び実行していなければ、ＣＭデータは、再生開始時刻Ｔｓから再生時刻Ｔ１まで再生されたことを示す再生履歴データが生成される。【０１３０】
但し、図９に示すデータ構造を有するＣＭデータに限定されず、ＣＭデータの再生開始時刻Ｔｓから再生終了時刻Ｔｅまでの間のどこかの時刻で上述したボタンが表示されるようなデータ構造をＣＭデータが有していれば、ＣＭデータがどこまで再生されたかを示す再生履歴データを生成することができる。【０１３１】
（２−２）  ＣＭ履歴収集サーバの動作例
続いて、図１０を参照して本実施例に係る情報記録再生システム１のうちＣＭ履歴収集サーバ２００の動作例について説明する。ここに、図１０は、本実施例に係る情報記録再生システム１のうちのＣＭ履歴収集サーバ２００の動作の流れを概念的に示すフローチャートである。【０１３２】
図１０に示すように、まず、ハードディスクレコーダ１００より送信されるＣＭ履歴データが受信される（ステップＳ２０１）。【０１３３】
その後、ＣＭ履歴分析部２１２ａの動作により、ステップＳ２０１において受信されたＣＭ履歴データに基づいて、ＣＭ履歴を分析した結果であるＣＭ履歴分析データが生成される（ステップＳ２０２）。【０１３４】
例えば、ＣＭ履歴データをスコア換算することで、ＣＭ履歴分析データを生成してもよい。具体的には、ＣＭデータのハードディスク１０９への記録の回数をＬとし、ＣＭデータのメニュー表示の回数をＭとし、ＣＭデータの再生の回数をＮとし、図９に示すボタン＃１が選択及び実行された回数をＡとし、図９に示すボタン＃２が選択及び実行された回数をＢとし、図９に示すボタン＃３が選択及び実行された回数をＣとした場合には、１００Ｌ＋１０Ｍ＋１００Ｎ＋１００Ａ＋５００Ｂ＋１０００Ｃにて示されるスコアを、当該ＣＭデータに対するＣＭ履歴分析データとしてもよい。もちろんその他の態様でＣＭ履歴分析データを生成してもよい。要は、ＣＭ履歴分析データは、ユーザのＣＭデータに対する興味の度合いを示していればよい。【０１３５】
その後、ＣＰＵ２１２の制御の下に、ＣＭ履歴データの送信を行ったユーザに対して、所定のインセンティブが付与される（ステップＳ２０３）。所定のインセンティブとしては、例えば、ＣＭ履歴データの送信を、懸賞への応募とみなしてもよい。この場合、例えば上述したスコア（つまり、ＣＭ履歴分析データ）によりユーザの興味の度合いが高いと想定される商品が当選する懸賞への応募とみなすように構成してもよい。或いは、ＣＭ履歴データの送信に対してポイントを付与するように構成してもよい。尚、ＣＭ履歴データの送信によりユーザにインセンティブが付与される旨を、図９に示す送信促進データによりユーザに予め提示しておいてもよい。【０１３６】
以上説明したように、本実施例に係る情報記録再生システム１によれば、ユーザは、メニュー画面上にメニュー表示されている番組データを選択すれば、該番組データを視聴することができる。一方で、ユーザは、同一のメニュー画面上に表示されているＣＭデータを選択すれば、該ＣＭデータを視聴することができる。つまり、ユーザは、ＣＭデータを視聴したい場合に、選択的にＣＭデータを視聴することができる。他方で、ユーザは、ＣＭデータを視聴したくない場合に、選択的にＣＭデータを視聴することなく番組データを視聴することができる。このように、本実施例によれば、番組データ及びＣＭデータのうち、ユーザが所望のデータをユーザが自分で選択して視聴することができる。これにより、ＣＭデータが一概に表示されない或いはユーザの意図に反して表示されないという不都合を好適に防ぐことができる。その結果、ユーザの所望のサブデータをユーザに確実に視聴させることができる。【０１３７】
更に、番組データとＣＭデータとが同一のメニュー画面上にメニュー表示されている。このため、ＣＭデータが番組データと共にユーザの目に留まりやすいという効果を教授することができる。その結果、ユーザは、ＣＭデータであっても、番組データと同様の態様で選択し且つ視聴することができる。【０１３８】
加えて、ユーザのＣＭデータの記録、メニュー表示及び再生の履歴を収集し且つ分析することができるため、ＣＭデータの効果の有無を確実に判断することができると共に、その分析結果を用いてより効果的な或いはユーザの興味を引くＣＭデータを生成することができる。また、ユーザにとっても、ＣＭデータの記録、メニュー表示及び再生の履歴を送信することでインセンティブが得られるという効果を享受することができる。【０１３９】
尚、上述の実施例では、情報記録媒体の一例としてハードディスク、並びに情報記録再生装置の一例としてハードディスクに係るレコーダ及びプレーヤについて説明したが、本発明は、ハードディスク並びにそのレコーダ及びそのプレーヤに限られるものではなく、他の高密度記録或いは高転送レート対応の各種情報記録媒体並びにそのレコーダ及びそのプレーヤにも適用可能である。【０１４０】
本発明は、上述した実施例に限られるものではなく、請求の範囲及び明細書全体から読み取れる発明の要旨或いは思想に反しない範囲で適宜変更可能であり、そのような変更を伴なう情報記録再生装置及び方法、情報記録再生システム並びにコンピュータプログラムもまた本発明の技術的範囲に含まれるものである。
【図１】
2008026252.tif 000003
【図２】
2008026252.tif 000004
【図３】
2008026252.tif 000005
【図４】
2008026252.tif 000006
【図５】
2008026252.tif 000007
【図６】
2008026252.tif 000008
【図７】
2008026252.tif 000009
【図８】
2008026252.tif 000010
【図９】
2008026252.tif 000011
【図１０】
2008026252.tif 000012
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
コンテンツデータ及び該コンテンツデータと並行して伝送されるサブデータを情報記録媒体に記録する記録手段と、
前記記録手段により記録された前記コンテンツデータの少なくとも一部の一覧を表示するメニュー画面を表示する第１表示手段と、
前記記録手段により記録された前記サブデータの少なくとも一部の一覧を、前記コンテンツデータの少なくとも一部の一覧と共に、前記メニュー画面上に表示する第２表示手段と
を備え、
前記第２表示手段は、前記メニュー画面上に表示される前記コンテンツデータの少なくとも一部に関連する前記サブデータの少なくとも一部の一覧を、前記メニュー画面上に表示することを特徴とする情報記録再生装置。
【請求項２】
前記第２表示手段は、前記サブデータの少なくとも一部の一覧を、前記コンテンツデータの少なくとも一部の一覧と略同一の態様で、前記メニュー画面上に表示することを特徴とする請求の範囲第１項に記載の情報記録再生装置。
【請求項３】
（削除）
【請求項４】
前記記録手段は、前記コンテンツデータと該コンテンツデータに並行して伝送される前記サブデータとの関連を示す関連データを前記情報記録媒体に記録することを特徴とする請求の範囲第１項に記載の情報記録再生装置。
【請求項５】
前記サブデータは、該サブデータの一覧を前記メニュー画面上に表示する際に用いられる一又は複数のバナー画像を示すバナーデータを含んでおり、
前記第２表示手段は、前記一又は複数のバナー画像のうち所望のバナー画像を表示することにより前記サブデータの少なくとも一部の一覧を表示することを特徴とする請求の範囲第１項に記載の情報記録再生装置。
【請求項６】
前記第２表示手段は、前記メニュー画面上に一覧が表示される前記コンテンツデータの解像度、前記バナー画像が表示される位置及び前記メニュー画面の表示態様の少なくとも一つに応じて、前記一又は複数のバナー画像のうち所望のバナー画像を選択し、且つ該選択された前記所望のバナー画像を表示することにより前記サブデータの少なくとも一部の一覧を表示することを特徴とする請求の範囲第５項に記載の情報記録再生装置。
【請求項７】
前記サブデータは、該サブデータと並行して伝送される前記コンテンツデータに関連する広告データを含むことを特徴とする請求の範囲第１項に記載の情報記録再生装置。
【請求項８】
前記情報記録媒体は、前記コンテンツデータが記録される記録エリアと、前記サブデータが記録される記録エリアとを備えることを特徴とする請求の範囲第１項に記載の情報記録再生装置。
【請求項９】
前記情報記録媒体には、前記サブデータが予め記録されていることを特徴とする請求の範囲第１項に記載の情報記録再生装置。
【請求項１０】
前記サブデータが記録された記録履歴、前記サブデータの少なくとも一部の一覧が表示された表示履歴及び前記サブデータの少なくとも一部が再生された再生履歴の少なくとも一つを含む履歴情報を生成する生成手段を更に備えることを特徴とする請求の範囲第１項に記載の情報記録再生装置。
【請求項１１】
前記生成手段は、前記サブデータの少なくとも一部がどこまで再生されたかを示す履歴を含む前記再生履歴を含む前記履歴情報を生成することを特徴とする請求の範囲第１０項に記載の情報記録再生装置。
【請求項１２】
前記生成手段により生成された前記履歴情報を、該履歴情報を収集する収集サーバへ送信する送信手段を更に備えることを特徴とする請求の範囲第１０項に記載の情報記録再生装置。
【請求項１３】
前記履歴情報の前記収集サーバへの送信をユーザに対して促すための表示画面を示す促進データが前記情報記録媒体に記録されることを特徴とする請求の範囲第１２項に記載の情報記録再生装置。
【請求項１４】
前記第２表示手段は、前記記録手段により記録された前記サブデータの少なくとも一部の一覧よりも優先させて、前記促進データの一覧を、前記メニュー画面上に表示することを特徴とする請求の範囲第１３項に記載の情報記録再生装置。
【請求項１５】
コンテンツデータ及び該コンテンツデータと並行して伝送されるサブデータを情報記録媒体に記録する記録工程と、
前記記録工程において記録された前記コンテンツデータの少なくとも一部の一覧を表示するメニュー画面を表示する第１表示工程と、
前記記録工程において記録された前記サブデータの少なくとも一部の一覧を、前記コンテンツデータの少なくとも一部の一覧と共に、前記メニュー画面上に表示する第２表示工程と
を備え、
前記第２表示工程は、前記メニュー画面上に表示される前記コンテンツデータの少なくとも一部に関連する前記サブデータの少なくとも一部の一覧を、前記メニュー画面上に表示することを特徴とする情報記録再生方法。
【請求項１６】
（ｉ）コンテンツデータ及び該コンテンツデータと並行して伝送されるサブデータを情報記録媒体に記録する記録手段と、
（ｉｉ）前記記録手段により記録された前記コンテンツデータの少なくとも一部の一覧を表示するメニュー画面を表示する第１表示手段と、
（ｉｉｉ）前記記録手段により記録された前記サブデータの少なくとも一部の一覧を、前記コンテンツデータの少なくとも一部の一覧と共に、前記メニュー画面上に表示する第２表示手段と、
（ｉｖ）前記サブデータが記録された記録履歴、前記サブデータの少なくとも一部の一覧が表示された表示履歴及び前記サブデータの少なくとも一部が再生された再生履歴の少なくとも一つを含む履歴情報を生成する生成手段と、
（ｖ）前記生成手段により生成された前記履歴情報を送信する送信手段と
を備える情報記録再生装置と、
（ｉ）前記送信手段により送信される前記履歴情報を取得する取得手段と、
（ｉｉ）前記取得手段により取得される前記履歴情報を分析する分析手段と
を備える収集サーバと
を備え、
前記第２表示手段は、前記メニュー画面上に表示される前記コンテンツデータの少なくとも一部に関連する前記サブデータの少なくとも一部の一覧を、前記メニュー画面上に表示することを特徴とする情報記録再生システム。
【請求項１７】
コンテンツデータ及び該コンテンツデータと並行して伝送されるサブデータを情報記録媒体に記録する記録手段と、前記記録手段により記録された前記コンテンツデータの少なくとも一部の一覧を表示するメニュー画面を表示する第１表示手段と、前記記録手段により記録された前記サブデータの少なくとも一部の一覧を、前記コンテンツデータの少なくとも一部の一覧と共に、前記メニュー画面上に表示する第２表示手段とを備え、前記第２表示工程は、前記メニュー画面上に表示される前記コンテンツデータの少なくとも一部に関連する前記サブデータの少なくとも一部の一覧を、前記メニュー画面上に表示する情報記録再生装置に備えられたコンピュータを制御する記録再生制御用のコンピュータプログラムであって、
前記コンピュータプログラムは、前記コンピュータを、前記記録手段、前記第１表示手段及び前記第２表示手段のうち少なくとも一部として機能させることを特徴とするコンピュータプログラム。
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
コンテンツデータ及び該コンテンツデータと並行して伝送されるサブデータを情報記録媒体に記録する記録手段と、
前記記録手段により記録された前記コンテンツデータの少なくとも一部の一覧を表示するメニュー画面を表示する第１表示手段と、
前記記録手段により記録された前記サブデータの少なくとも一部の一覧を、前記コンテンツデータの少なくとも一部の一覧と共に、前記メニュー画面上に表示する第２表示手段と
を備え、
前記第２表示手段は、前記メニュー画面上に表示される前記コンテンツデータの少なくとも一部に関連する前記サブデータの少なくとも一部の一覧を、前記メニュー画面上に表示することを特徴とする情報記録再生装置。
【請求項２】
前記第２表示手段は、前記サブデータの少なくとも一部の一覧を、前記コンテンツデータの少なくとも一部の一覧と略同一の態様で、前記メニュー画面上に表示することを特徴とする請求の範囲第１項に記載の情報記録再生装置。
【請求項３】
前記記録手段は、前記コンテンツデータと該コンテンツデータに並行して伝送される前記サブデータとの関連を示す関連データを前記情報記録媒体に記録することを特徴とする請求の範囲第１項に記載の情報記録再生装置。
【請求項４】
前記サブデータは、該サブデータの一覧を前記メニュー画面上に表示する際に用いられる一又は複数のバナー画像を示すバナーデータを含んでおり、
前記第２表示手段は、前記一又は複数のバナー画像のうち所望のバナー画像を表示することにより前記サブデータの少なくとも一部の一覧を表示することを特徴とする請求の範囲第１項に記載の情報記録再生装置。
【請求項５】
前記第２表示手段は、前記メニュー画面上に一覧が表示される前記コンテンツデータの解像度、前記バナー画像が表示される位置及び前記メニュー画面の表示態様の少なくとも一つに応じて、前記一又は複数のバナー画像のうち所望のバナー画像を選択し、且つ該選択された前記所望のバナー画像を表示することにより前記サブデータの少なくとも一部の一覧を表示することを特徴とする請求の範囲第４項に記載の情報記録再生装置。
【請求項６】
前記サブデータは、該サブデータと並行して伝送される前記コンテンツデータに関連する広告データを含むことを特徴とする請求の範囲第１項に記載の情報記録再生装置。
【請求項７】
前記情報記録媒体は、前記コンテンツデータが記録される記録エリアと、前記サブデータが記録される記録エリアとを備えることを特徴とする請求の範囲第１項に記載の情報記録再生装置。
【請求項８】
前記情報記録媒体には、前記サブデータが予め記録されていることを特徴とする請求の範囲第１項に記載の情報記録再生装置。
【請求項９】
前記サブデータが記録された記録履歴、前記サブデータの少なくとも一部の一覧が表示された表示履歴及び前記サブデータの少なくとも一部が再生された再生履歴の少なくとも一つを含む履歴情報を生成する生成手段を更に備えることを特徴とする請求の範囲第１項に記載の情報記録再生装置。
【請求項１０】
前記生成手段は、前記サブデータの少なくとも一部がどこまで再生されたかを示す履歴を含む前記再生履歴を含む前記履歴情報を生成することを特徴とする請求の範囲第９項に記載の情報記録再生装置。
【請求項１１】
前記生成手段により生成された前記履歴情報を、該履歴情報を収集する収集サーバへ送信する送信手段を更に備えることを特徴とする請求の範囲第９項に記載の情報記録再生装置。
【請求項１２】
前記履歴情報の前記収集サーバへの送信をユーザに対して促すための表示画面を示す促進データが前記情報記録媒体に記録されることを特徴とする請求の範囲第１１項に記載の情報記録再生装置。
【請求項１３】
前記第２表示手段は、前記記録手段により記録された前記サブデータの少なくとも一部の一覧よりも優先させて、前記促進データの一覧を、前記メニュー画面上に表示することを特徴とする請求の範囲第１２項に記載の情報記録再生装置。
【請求項１４】
コンテンツデータ及び該コンテンツデータと並行して伝送されるサブデータを情報記録媒体に記録する記録工程と、
前記記録工程において記録された前記コンテンツデータの少なくとも一部の一覧を表示するメニュー画面を表示する第１表示工程と、
前記記録工程において記録された前記サブデータの少なくとも一部の一覧を、前記コンテンツデータの少なくとも一部の一覧と共に、前記メニュー画面上に表示する第２表示工程と
を備え、
前記第２表示工程は、前記メニュー画面上に表示される前記コンテンツデータの少なくとも一部に関連する前記サブデータの少なくとも一部の一覧を、前記メニュー画面上に表示することを特徴とする情報記録再生方法。
【請求項１５】
(i)コンテンツデータ及び該コンテンツデータと並行して伝送されるサブデータを情報記録媒体に記録する記録手段と、
(ii)前記記録手段により記録された前記コンテンツデータの少なくとも一部の一覧を表示するメニュー画面を表示する第１表示手段と、
(iii)前記記録手段により記録された前記サブデータの少なくとも一部の一覧を、前記コンテンツデータの少なくとも一部の一覧と共に、前記メニュー画面上に表示する第２表示手段と、
(iv)前記サブデータが記録された記録履歴、前記サブデータの少なくとも一部の一覧が表示された表示履歴及び前記サブデータの少なくとも一部が再生された再生履歴の少なくとも一つを含む履歴情報を生成する生成手段と、
(v)前記生成手段により生成された前記履歴情報を送信する送信手段と
を備える情報記録再生装置と、
(i)前記送信手段により送信される前記履歴情報を取得する取得手段と、
(ii)前記取得手段により取得される前記履歴情報を分析する分析手段と
を備える収集サーバと
を備え、
前記第２表示手段は、前記メニュー画面上に表示される前記コンテンツデータの少なくとも一部に関連する前記サブデータの少なくとも一部の一覧を、前記メニュー画面上に表示することを特徴とする情報記録再生システム。
【請求項１６】
コンテンツデータ及び該コンテンツデータと並行して伝送されるサブデータを情報記録媒体に記録する記録手段と、前記記録手段により記録された前記コンテンツデータの少なくとも一部の一覧を表示するメニュー画面を表示する第１表示手段と、前記記録手段により記録された前記サブデータの少なくとも一部の一覧を、前記コンテンツデータの少なくとも一部の一覧と共に、前記メニュー画面上に表示する第２表示手段とを備え、前記第２表示手段は、前記メニュー画面上に表示される前記コンテンツデータの少なくとも一部に関連する前記サブデータの少なくとも一部の一覧を、前記メニュー画面上に表示する情報記録再生装置に備えられたコンピュータを制御する記録再生制御用のコンピュータプログラムであって、
前記コンピュータプログラムは、前記コンピュータを、前記記録手段、前記第１表示手段及び前記第２表示手段のうち少なくとも一部として機能させることを特徴とするコンピュータプログラム。
【手続補正２】
【補正対象書類名】明細書
【補正対象項目名】０００６
【補正方法】変更
【補正の内容】
【０００６】
上記課題を解決するために、請求の範囲第１項に記載の情報記録再生装置は、コンテンツデータ及び該コンテンツデータと並行して伝送されるサブデータとを情報記録媒体に記録する記録手段と、前記記録手段により記録された前記コンテンツデータの少なくとも一部の一覧を表示するメニュー画面を表示する第１表示手段と、前記記録手段により記録された前記サブデータの少なくとも一部の一覧を、前記コンテンツデータの少なくとも一部の一覧と共に、前記メニュー画面上に表示する第２表示手段とを備え、前記第２表示手段は、前記メニュー画面上に表示される前記コンテンツデータの少なくとも一部に関連する前記サブデータの少なくとも一部の一覧を、前記メニュー画面上に表示する。
【手続補正３】
【補正対象書類名】明細書
【補正対象項目名】０００７
【補正方法】変更
【補正の内容】
【０００７】
上記課題を解決するために、請求の範囲第１４項に記載の情報記録再生方法は、コンテンツデータ及び該コンテンツデータと並行して伝送されるサブデータとを情報記録媒体に記録する記録工程と、前記記録工程において記録された前記コンテンツデータの少なくとも一部の一覧を表示するメニュー画面を表示する第１表示工程と、前記記録工程において記録された前記サブデータの少なくとも一部の一覧を、前記コンテンツデータの少なくとも一部の一覧と共に、前記メニュー画面上に表示する第２表示工程とを備え、前記第２表示工程は、前記メニュー画面上に表示される前記コンテンツデータの少なくとも一部に関連する前記サブデータの少なくとも一部の一覧を、前記メニュー画面上に表示する。
【手続補正４】
【補正対象書類名】明細書
【補正対象項目名】０００８
【補正方法】変更
【補正の内容】
【０００８】
上記課題を解決するために、請求の範囲第１５項に記載の情報記録再生システムは、(i)コンテンツデータ及び該コンテンツデータと並行して伝送されるサブデータとを情報記録媒体に記録する記録手段と、(ii)前記記録手段により記録された前記コンテンツデータの少なくとも一部の一覧を表示するメニュー画面を表示する第１表示手段と、(iii)前記記録手段により記録された前記サブデータの少なくとも一部の一覧を、前記コンテンツデータの少なくとも一部の一覧と共に、前記メニュー画面上に表示する第２表示手段と、(iv)前記サブデータが記録された記録履歴、前記サブデータの少なくとも一部の一覧が表示された表示履歴及び前記サブデータの少なくとも一部が再生された再生履歴の少なくとも一つを含む履歴情報を生成する生成手段と、(v)前記生成手段により生成された前記履歴情報を送信する送信手段とを備える情報記録再生装置と、(i)前記送信手段により送信される前記履歴情報を取得する取得手段と、(ii)前記取得手段により取得される前記履歴情報を分析する分析手段とを備える収集サーバとを備え、前記第２表示手段は、前記メニュー画面上に表示される前記コンテンツデータの少なくとも一部に関連する前記サブデータの少なくとも一部の一覧を、前記メニュー画面上に表示する。
【手続補正５】
【補正対象書類名】明細書
【補正対象項目名】０００９
【補正方法】変更
【補正の内容】
【０００９】
上記課題を解決するために、請求の範囲第１６項に記載のコンピュータプログラムは、コンテンツデータ及び該コンテンツデータと並行して伝送されるサブデータとを情報記録媒体に記録する記録手段と、前記記録手段により記録された前記コンテンツデータの少なくとも一部の一覧を表示するメニュー画面を表示する第１表示手段と、前記記録手段により記録された前記サブデータの少なくとも一部の一覧を、前記コンテンツデータの少なくとも一部の一覧と共に、前記メニュー画面上に表示する第２表示手段とを備え、前記第２表示手段は、前記メニュー画面上に表示される前記コンテンツデータの少なくとも一部に関連する前記サブデータの少なくとも一部の一覧を、前記メニュー画面上に表示する情報記録再生装置に備えられたコンピュータを制御する再生制御用のコンピュータプログラムであって、前記コンピュータプログラムは、前記コンピュータを、前記記録手段、前記第１表示手段及び前記第２表示手段のうち少なくとも一部として機能させる。
【国際調査報告】
2008026252.tif 000013
2008026252.tif 000014
2008026252.tif 000015